(57)【要約】      （修正有）【課題】アクセサリーとして美観上も楽しめると共に使用者の好みの香りを任意に選択して簡単に入れ替えることができ、さらには芳香効果を長時間にわたり持続することができる香付ストラップを提供する。【解決手段】キャラクター形状からなる人形型容器１０と、該人形型容器１０の接続基部１８に取り付けられるループ状の締結紐１９とを備える。人形型容器１０に芳香源を収納する空洞を設けると共に空洞に連通する位置に芳香孔を形成する。人形型容器１０は上部１１と下部１２の２つに分割されたパーツを螺着により結合せしめ、芳香源はドライハーブに香料液を含浸することにより芳香効果の持続性を高める。【選択図】図１
0003170257.tif 000002
【実用新案登録請求の範囲】
【請求項１】
キャラクター形状からなる人形型容器と、前記人形型容器の接続基部に取り付けられるループ状の締結紐とを備え、前記人形型容器に芳香源を収納する内部空洞を設けると共に前記内部空洞に連通する位置に芳香孔を形成し、前記人形型容器は上部と下部の２つに分割されたパーツを螺着により結合せしめ、前記芳香源はドライハーブに香料液を含浸することにより芳香効果の持続性を高めたことを特徴とする香付ストラップ。
【請求項２】
キャラクター形状からなる人形型容器と、前記人形型容器の接続基部に取り付けられるループ状の締結紐とを備え、前記人形型容器に芳香源を収納する内部空洞を設けると共に前記内部空洞に連通する位置に芳香孔を形成し、前記人形型容器は表側と裏側の２つに分割されたパーツを係着により結合せしめ、前記芳香源はドライハーブに香料液を含浸することにより芳香効果の持続性を高めたことを特徴とする香付ストラップ。
【請求項３】
キャラクター形状からなる人形型容器と、前記人形型容器の接続基部に取り付けられるループ状の締結紐とを備え、前記人形型容器に芳香源を収納する内部空洞を設けると共に前記内部空洞に連通する位置に芳香孔を形成し、前記人形型容器の側面部に前記内部空洞を閉鎖する蓋を嵌着により結合せしめ、前記芳香源はドライハーブに香料液を含浸することにより芳香効果の持続性を高めたことを特徴とする香付ストラップ。
【考案の詳細な説明】
【技術分野】
【０００１】
本考案は、携帯電話機やキーホルダー等に使用される香付ストラップに関するものである。
【背景技術】
【０００２】
従来の携帯電話機用ストラップについて、芳香機能を有するものとしては、以下に示すような考案が提案されている。
【０００３】
実用新案登録第３０６７０８８号公報（特許文献１）には、使用者の好みに応じて香料を発散させることができ、香料含浸材を交換可能にすることを目的とし、キャップを嵌着した連結部の空洞部内に香料含浸材を収納可能に構成し、又は連結部に取り付けたキャラクター容器内に香料含浸材を収納可能に構成しことを特徴とする「携帯電話用ストラップ」が提案されている。
【０００４】
実用新案登録第３０６２０８１号公報（特許文献２）には、芳香機能を有し使用時にその機能を発揮することを目的とし、携帯電話機の取り付け部に締結する締結部と、使用者が把持するグリップ部と、芳香機能を有するマスコットとからなることを特徴とする「携帯電話機用ストラップ」が提案されている。
【０００５】
実用新案登録第３０７９７１４号公報（特許文献３）には、長時間芳香剤の香りを楽しめ、アクセサリーとして美観上も楽しめることを目的とし、一端が携帯電話のストラップ取り付け部に取り付け容易に形成された一連の紐状体と、アクセサリー容器とを備え、アクセサリー容器は紐状体を挿通して固着する基部と紐状体に摺動自在に挿通され、基部と着脱自在な蓋部とからなり、芳香剤含浸部材を収納可能な収納部を内包し、収納部壁面には通気孔を設けてなることを特徴とする「携帯電話用ストラップ」が提案されている。
【０００６】
実用新案登録第３０７２２２１号公報（特許文献４）には、実用性およびファッション性に優れ、かつ経済的効果大なることを目的とし、携帯電話機に取り付けられる携帯電話機用香付ストラップであって、匂いを発香させる飾り状物体と、この飾り状物体を携帯電話機に取り付けるための取付け手段とから構成してなることを特徴とする「携帯電話機用香付ストラップ」が提案されている。
【先行技術文献】
【特許文献】
【０００７】
【特許文献１】実用新案登録第３０６７０８８号公報
【特許文献２】実用新案登録第３０６２０８１号公報
【特許文献３】実用新案登録第３０７９７１４号公報
【特許文献４】実用新案登録第３０７２２２１号公報
【考案の概要】
【考案が解決しようとする課題】
【０００８】
本考案は、アクセサリーとして美観上も楽しめると共に使用者の好みの香りを任意に選択して簡単に入れ替えることができ、さらには芳香効果を長時間にわたり持続することができる香付ストラップを提供することを目的とする。
【課題を解決するための手段】
【０００９】
上記の課題を解決するために、請求項１に記載の考案は、キャラクター形状からなる人形型容器と、前記人形型容器の接続基部に取り付けられるループ状の締結紐とを備え、前記人形型容器に芳香源を収納する内部空洞を設けると共に前記内部空洞に連通する位置に芳香孔を形成し、前記人形型容器は上部と下部の２つに分割されたパーツを螺着により結合せしめ、前記芳香源はドライハーブに香料液を含浸することにより芳香効果の持続性を高めたことを特徴とする。
【００１０】
また、請求項２に記載の考案は、キャラクター形状からなる人形型容器と、前記人形型容器の接続基部に取り付けられるループ状の締結紐とを備え、前記人形型容器に芳香源を収納する内部空洞を設けると共に前記内部空洞に連通する位置に芳香孔を形成し、前記人形型容器は表側と裏側の２つに分割されたパーツを係着により結合せしめ、前記芳香源はドライハーブに香料液を含浸することにより芳香効果の持続性を高めたことを特徴とする。
【００１１】
また、請求項３に記載の考案は、キャラクター形状からなる人形型容器と、前記人形型容器の接続基部に取り付けられるループ状の締結紐とを備え、前記人形型容器に芳香源を収納する内部空洞を設けると共に前記内部空洞に連通する位置に芳香孔を形成し、前記人形型容器の側面部に前記内部空洞を閉鎖する蓋を嵌着により結合せしめ、前記芳香源はドライハーブに香料液を含浸することにより芳香効果の持続性を高めたことを特徴とする。
【考案の効果】
【００１２】
以上のように、本考案によれば、キャラクター形状からなる人形型容器に芳香源を収納する内部空洞を設け、人形型容器は上部と下部の２つに分割されたパーツを螺着により結合又は表側と裏側の２つに分割されたパーツを係着により結合させるようにしたので、使用者の好みの香りを任意に選択して簡単に入れ替えることができる。また、人形型容器の側面部に内部空洞を閉鎖する蓋を嵌着により結合させることによっても、同様に芳香源を簡単に入れ替えられる。さらに芳香源はドライハーブに香料液を含浸するようにしたので、芳香効果を長時間にわたり持続することができる。
【図面の簡単な説明】
【００１３】
【図１】本考案にかかる香付ストラップの一例を示す正面図（１）及び背面図（２）である。
【図２】図１に示す香付ストラップの断面図である。
【図３】本考案にかかる香付ストラップの他例を示す正面図（１）及び背面図（２）である。
【図４】図３に示す香付ストラップの断面図である。
【図５】本考案にかかる香付ストラップの他例を示す正面図（１）及び背面図（２）である。
【図６】図５に示す香付ストラップの断面図である。
【考案を実施するための形態】
【００１４】
以下、本考案の実施の形態について図面を参酌しながら説明する。なお、本考案にかかる香付ストラップは、携帯電話機やキーホルダー等に取り付けて使用されるものであり、形態や構造・配置等については以下の実施例に限定されるものではなく、使用状況によって適宜変更することができる。
【００１５】
図１は本考案にかかる香付ストラップの一例を示す正面図（１）及び背面図（２）、図２は図１に示す香付ストラップの断面図である。
香付ストラップは、キャラクター形状（例えば、犬のキャラクター）からなる人形型容器１０と、人形型容器１０の接続基部１８に取り付けられるループ状の締結紐１９とを備えている。
人形型容器１０は、上部１１（犬の頭部）と下部１２（犬の胴部）とを備えている。下部１２には、図２に示すように、後述する芳香源１７を収納する空洞１３が設けられており、空洞１３に連通する位置に芳香孔１４（図１参照）が形成されている。なお、空洞１３を設ける位置は、下部１２に限定されるものではなく上部１１に設けても良い。また、芳香孔１４の位置及び数についても図示した内容に限定されるものではない。
人形型容器１０の２つに分割されたパーツである上部１１と下部１２の結合部分（犬の首部分）には、図２に示すように、雌ねじ部１６と雄ねじ部１５が形成されている。このため、上部１１と下部１２を螺着により着脱自在に結合させるようにしたので、芳香源１７を簡単に入れ替えることができる。また、芳香源１７のみを適宜入れ替えられるので、ストラップ全体を買い換える必要は無い。
芳香源１７は、ドライハーブに好みの香料液を含浸させたものを使用することを特徴とする。ドライハーブは、良い香りを持つ植物の葉、花などを乾燥させたものであり（例えば、香りに鎮静効果を有するラベンダー、甘く上品な香りが漂うローズレッドなどを好みにより選択可能）、これらは細かな繊維を有するために香料液（例えば、ラベンダーオイル、ローズレッドオイルなどを好みにより選択可能）を含浸させると香料液を長時間に亘り維持すると共に適度に香りを発散するので、芳香効果の持続性を高める効果を発揮する。なお、芳香が乏しくなった場合は追加の香料液を含浸させることができ、ドライハーブが古くなった場合は新しいものに取り換えることができる。
【００１６】
図３は本考案にかかる香付ストラップの他例を示す正面図（１）及び背面図（２）、図４は図３に示す香付ストラップの断面図である。
香付ストラップは、キャラクター形状（例えば、ねずみのキャラクター）からなる人形型容器２０と、人形型容器２０の接続基部２７に取り付けられるループ状の締結紐２８とを備えている。
人形型容器２０は、表側の開閉蓋２１（ねずみの顔面部）と裏側の基台部２２（ねずみの後頭部）とを備えている。人形型容器２０には、図４に示すように、芳香源２６を収納する空洞２３が設けられており、空洞２３に連通する位置に芳香孔２４（図３参照）が形成されている。なお、芳香孔２４の位置及び数は、図示した内容に限定されるものではない。
人形型容器２０の２つに分割されたパーツである表側の開閉蓋２１と裏側の基台部２２の結合部分（ねずみの首部分）には、図３に示すように、開閉ボタン２５が形成されている。このため、開閉ボタン２５を押下し係着により着脱自在に結合させるようにしたので、芳香源２６を簡単に入れ替えることができる。また、芳香源２６のみを適宜入れ替えられるので、ストラップ全体を買い換える必要は無い。
芳香源２６は、上記の実施例と同様にドライハーブに香料液を含浸させたものを使用することにより、芳香効果の持続性を高めることができる。
【００１７】
図５は本考案にかかる香付ストラップの他例を示す正面図（１）及び背面図（２）、図６は図５に示す香付ストラップの断面図である。
香付ストラップは、キャラクター形状（例えば、くまのキャラクター）からなる人形型容器３０と、人形型容器３０の接続基部３５に取り付けられるループ状の締結紐３６とを備えている。
人形型容器３０には、図６に示すように、芳香源３４を収納する空洞３２が設けられており、空洞３２に連通する位置に芳香孔３３が形成されている。なお、空洞３２を設ける位置並びに芳香孔３３（図５参照）の位置及び数は、図示した内容に限定されるものではない。
人形型容器３０の裏側の側面部には、図６に示すように、空洞３２を閉鎖する蓋３１が設けられている。このため、蓋３１を嵌着により着脱自在に結合させるようにしたので、芳香源３４を簡単に入れ替えることができる。また、芳香源３４のみを適宜入れ替えられるので、ストラップ全体を買い換える必要は無い。
芳香源３４は、上記の実施例と同様にドライハーブに香料液を含浸させたものを使用することにより、芳香効果の持続性を高めることができる。
【符号の説明】
【００１８】
１０  人形型容器
１１  上部
１２  下部
１３  空洞
１４  芳香孔
１５  雄ねじ部
１６  雌ねじ部
１７  芳香源
１８  接続基部
１９  締結紐
２０  人形型容器
２１  開閉蓋
２２  基台部
２３  空洞
２４  芳香孔
２５  開閉ボタン
２６  芳香源
２７  接続基部
２８  締結紐
３０  人形型容器
３１  蓋
３２  空洞
３３  芳香孔
３４  芳香源
３５  接続基部
３６  締結紐
【図１】
0003170257.tif 000003
【図２】
0003170257.tif 000004
【図３】
0003170257.tif 000005
【図４】
0003170257.tif 000006
【図５】
0003170257.tif 000007
【図６】
0003170257.tif 000008